(57)【要約】【課題】箱への挿入作業なしに、しかも、コストアップをすることなく、ピッキングリストやチラシなどの書類を添付することを可能にする。【解決手段】配達票１０Ａ−１及び貼付票１０Ａ−２とを含む配伝部（ラベル部）１０Ａと、ポケット部１０Ｂと、添付書類部１０Ｃとを備え、層構造的には、印字可能な印字基材（第１部材）１１と、タック基材１３，粘着剤層１４及び剥離紙１５からなるタック紙（第２部材）１２と、印字基材１１とタック紙１２を部分的に接着する接着剤１６Ａ及び剥離インキ１６Ｂからなる擬似接着による接着構造１６と、印字基材１１のタック紙１２が設けられていない部分に接着剤１８によって接着したポケット用基材（第３部材）１７等とを備える。【選択図】　　　　図１
2004054074.tif 000002
【特許請求の範囲】
【請求項１】
印字可能な印字基材と、
前記印字基材の裏面に、少なくとも一部が接着して及び／又は剥離可能に擬似接着して一体化した接着構造を介して、少なくとも粘着剤層が形成されたラベル部と、
前記印字基材の前記ラベル部以外の部分に設けられたポケット部と、
を備えたポケット付きラベル式伝票。
【請求項２】
請求項１に記載のポケット付きラベル式伝票において、
前記印字基材の前記ラベル部及び前記ポケット部以外の部分に設けられた添付書類部とを備えたこと
を特徴とするポケット付きラベル式伝票。
【請求項３】
請求項１又は請求項２に記載のポケット付きラベル式伝票において、
前記ポケット部は、前記印字基材の裏面に、ポケット用基材を貼り込み、周縁部を接着して製袋したこと
を特徴とするポケット付きラベル式伝票。
【請求項４】
請求項１から請求項３までのいずれか１項に記載のポケット付きラベル式伝票において、
前記ポケット部は、その入り口が前記ラベル部側に配置されていること
を特徴とするポケット付きラベル式伝票。
【請求項５】
請求項１から請求項４までのいずれか１項に記載のポケット付きラベル式伝票において、
前記ポケット部は、その入り口が前記ラベル部と反対側の端部に配置されていること
を特徴とするポケット付きラベル式伝票。
【請求項６】
請求項４又は請求項５に記載のポケット付きラベル式伝票において、
前記ポケット部は、その入り口を封止する封止手段を備えたこと
を特徴とするポケット付きラベル式伝票。
【請求項７】
請求項１から請求項６までのいずれか１項に記載のポケット付きラベル式伝票において、
前記ポケット部及び／又は前記添付書類部は、裏側に折り返して、その端部が前記ラベル部の前記粘着剤層によって固定されること
を特徴とするポケット付きラベル式伝票。
【請求項８】
請求項１に記載のポケット付きラベル式伝票において、
前記ポケット部は、前記印字基材を裏側に折り返して、その端部が前記ラベル部の前記粘着剤層によって固定され、筒状に形成されること
を特徴とするポケット付きラベル式伝票。
【請求項９】
請求項１から請求項８までのいずれか１項に記載のポケット付きラベル式伝票において、
前記ポケット部は、前記ラベル部から分離可能であること
を特徴とするポケット付きラベル式伝票。
【請求項１０】
請求項１から請求項９までのいずれか１項に記載のポケット付きラベル式伝票において、
前記ポケット部は、分離され又は分離されない前記添付書類部を収容可能であること
を特徴とするポケット付きラベル式伝票。
【請求項１１】
請求項１から請求項１０までのいずれか１項に記載のポケット付きラベル式伝票において、
前記ラベル部は、
前記印字基材と、
タック基材，粘着剤層及び剥離シートとからなるタックシートと、
前記印字基材と前記タックシートとを、少なくとも一部が接着して及び／又は剥離可能に擬似接着して一体化する接着構造とを備えること
を特徴とするポケット付きラベル式伝票。
【請求項１２】
請求項１から請求項１１までのいずれか１項に記載のポケット付きラベル式伝票において、
前記ラベル部は、少なくとも配達票と貼付票を含む配伝部であること
を特徴とするポケット付きラベル式伝票。
【請求項１３】
請求項１から請求項１２までのいずれか１項に記載のポケット付きラベル式伝票において、
前記ポケット部は、返信封筒であること
を特徴とするポケット付きラベル式伝票。
【請求項１４】
請求項１から請求項１３までのいずれか１項に記載のポケット付きラベル式伝票において、
前記ポケット部は、その表側の前記印字基材が、ピンキングリスト、商品明細書又は振替伝票のいずれかを含むこと
を特徴とするポケット付きラベル式伝票。
【請求項１５】
請求項２から請求項７、請求項９から請求項１３までのいずれか１項に記載のポケット付きラベル式伝票において、
前記添付書類部は、ピンキングリスト、商品明細書又は振替伝票のいずれかを含むこと
を特徴とするポケット付きラベル式伝票。
【発明の詳細な説明】
【０００１】
【発明の属する技術分野】
本発明は、主として、１パート（１ｐｔ）配送伝票（配伝）に好適に使用されるポケット付きラベル式伝票に関するものである。
【０００２】
【従来の技術】従来、配送伝票とピッキングリストは、前者が多ｐｔを丁合したタックラベル、後者が１ｐｔからなる上質紙といった層構造の違いに加え、その層構造の違いからくる対応プリンタ等のシステム的な差異より、異なるプリンタによって印字した後に、機械や目視でマッチング作業を実施していた。
【０００３】
機械マッチングの場合は、マッチング用のバーコードやそれに類する識別記号を必要とし、目視マッチングの場合は、手作業であるため、マッチングミスが避けられない、という課題がある。何より、機械にせよ目視にせよ、マッチングのための工程が必要になることから、納期やコストが余計にかかっていた。
【０００４】
このため、１枚の印字用基材の裏面に、タック紙を剥離可能に貼り合せた１ｐｔ配伝が提案されている。特に、ピッキングリストと呼ばれるような商品明細書や、郵便振込用紙等と一体化した、部分的にタック紙を設けた形態が通販会社を中心に増加している。
【０００５】
図１２は、ピッキングリスト付き１ｐｔ配伝の一例を示す図である。
ピッキングリスト付き１ｐｔ配伝１０は、印字基材１１に、タック基材１３，粘着剤層１４及び剥離紙１５からなるタック紙１２を、剥離可能な擬似接着による接着構造１６を介して部分的に設けて、配伝部１０Ａと、商品明細書やピッキングリスト等の添付書類部１０Ｃとを一体化したものである。
このため、印字作業自体でマッチングが完了しているので、マッチング工程を排除し、短納期化と低コスト化が図れることから増加している。
【０００６】
【発明が解決しようとする課題】
さて、このような状況から１ｐｔ配伝１０は、特に、通販業界で広く利用されはじめているが、利用が深まるに連れ、以下に示すような新たなニーズが生まれている。
一例は、配伝部１０Ａ以外のピッキングリスト（添付書類部１０Ｃ）を、箱（荷物，商品）の中に挿入したくない、というものであり、他の一例は、別仕立てのチラシ類を箱の外側に添付したい、というものである。
【０００７】
ピッキングリストを箱に挿入したくない理由は、以下の通りである。例えば、発送するものが、ワインやミネラルウォータなど単一又は数種に限定される場合に、ピッキングリストを添付すること自体は必要であるものの、６本入りの箱を一旦開封して、リストを入れて、その後であらためて箱の封をしなければならない。つまり、この挿入作業自体を無くして、納期面やコスト面について一段の効率化を図りたいからである。
【０００８】
一方、別仕立てのチラシ類を箱の外側に添付したい、という場合がある。もちろん、箱の中に入れてしまえば済むものであるが、チラシであることを明確にしておく（商品と一緒に入れておくと、例えば、商品に関する大切な書類［保証書や取扱説明書等］を一緒に捨てられてしまう場合がある）ことや、チラシであることを目立たせたいからである。
【０００９】
この問題を解決するために、一部が粘着加工された封筒の中にチラシを同封して、配送伝票とは別に、箱に貼り付けることも考えられるが、「粘着加工した封筒」は高価であるので、チラシ効果は上がるが、コストアップとなるという別の問題が発生する。
【００１０】
本発明の課題は、箱への挿入作業なしに、しかも、コストアップをすることなく、ピッキングリストやチラシなどの書類を添付することができるポケット付きラベル式伝票を提供することである。
【００１１】
【課題を解決するための手段】
前記課題を解決するために、請求項１の発明は、印字可能な印字基材と、前記印字基材の裏面に、少なくとも一部が接着して及び／又は剥離可能に擬似接着して一体化した接着構造を介して、少なくとも粘着剤層が形成されたラベル部と、前記印字基材の前記ラベル部以外の部分に設けられたポケット部と、を備えたポケット付きラベル式伝票である。
【００１２】
請求項２の発明は、請求項１に記載のポケット付きラベル式伝票において、前記印字基材の前記ラベル部及び前記ポケット部以外の部分に設けられた添付書類部とを備えたことを特徴とするポケット付きラベル式伝票である。
【００１３】
請求項３の発明は、請求項１又は請求項２に記載のポケット付きラベル式伝票において、前記ポケット部は、前記印字基材の裏面に、ポケット用基材を貼り込み、周縁部を接着して製袋したことを特徴とするポケット付きラベル式伝票である。
【００１４】
請求項４の発明は、請求項１から請求項３までのいずれか１項に記載のポケット付きラベル式伝票において、前記ポケット部は、その入り口が前記ラベル部側に配置されていることを特徴とするポケット付きラベル式伝票である。
【００１５】
請求項５の発明は、請求項１から請求項４までのいずれか１項に記載のポケット付きラベル式伝票において、前記ポケット部は、その入り口が前記ラベル部と反対側の端部に配置されていることを特徴とするポケット付きラベル式伝票である。
【００１６】
請求項６の発明は、請求項４又は請求項５に記載のポケット付きラベル式伝票において、前記ポケット部は、その入り口を封止する封止手段を備えたことを特徴とするポケット付きラベル式伝票である。
【００１７】
請求項７の発明は、請求項１から請求項６までのいずれか１項に記載のポケット付きラベル式伝票において、前記ポケット部及び／又は前記添付書類部は、裏側に折り返して、その端部が前記ラベル部の前記粘着剤層によって固定されることを特徴とするポケット付きラベル式伝票である。
【００１８】
請求項８の発明は、請求項１に記載のポケット付きラベル式伝票において、前記ポケット部は、前記印字基材を裏側に折り返して、その端部が前記ラベル部の前記粘着剤層によって固定され、筒状に形成されることを特徴とするポケット付きラベル式伝票である。
【００１９】
請求項９の発明は、請求項１から請求項８までのいずれか１項に記載のポケット付きラベル式伝票において、前記ポケット部は、前記ラベル部から分離可能であることを特徴とするポケット付きラベル式伝票である。
【００２０】
請求項１０の発明は、請求項１から請求項９までのいずれか１項に記載のポケット付きラベル式伝票において、前記ポケット部は、分離され又は分離されない前記添付書類部を収容可能であることを特徴とするポケット付きラベル式伝票である。
【００２１】
請求項１１の発明は、請求項１から請求項１０までのいずれか１項に記載のポケット付きラベル式伝票において、前記ラベル部は、前記印字基材と、タック基材，粘着剤層及び剥離シートとからなるタックシートと、前記印字基材と前記タックシートとを、少なくとも一部が接着して及び／又は剥離可能に擬似接着して一体化する接着構造とを備えることを特徴とするポケット付きラベル式伝票である。
【００２２】
請求項１２の発明は、請求項１から請求項１１までのいずれか１項に記載のポケット付きラベル式伝票において、前記ラベル部は、少なくとも配達票と貼付票を含む配伝部であることを特徴とするポケット付きラベル式伝票である。
【００２３】
請求項１３の発明は、請求項１から請求項１２までのいずれか１項に記載のポケット付きラベル式伝票において、前記ポケット部は、返信封筒であることを特徴とするポケット付きラベル式伝票である。
【００２４】
請求項１４の発明は、請求項１から請求項１３までのいずれか１項に記載のポケット付きラベル式伝票において、前記ポケット部は、その表側の前記印字基材が、ピンキングリスト、商品明細書又は振替伝票のいずれかを含むことを特徴とするポケット付きラベル式伝票である。
【００２５】
請求項１５の発明は、請求項２から請求項７、請求項９から請求項１３までのいずれか１項に記載のポケット付きラベル式伝票において、前記添付書類部は、ピンキングリスト、商品明細書又は振替伝票のいずれかを含むことを特徴とするポケット付きラベル式伝票である。
【００２６】
【発明の実施の形態】
以下、図面等を参照して、本発明の実施の形態について、さらに詳しくに説明する。
（第１実施形態）
図１は、本発明によるポケット付きラベル式伝票の第１実施形態を示す図、図２は、第１実施形態に係るポケット付きラベル式伝票の使用方法を示す図、図３は、第１実施形態に係るポケット付きラベル式伝票を荷物に貼付した状態を示す図である。
なお、以下に説明する各実施形態では、前述した従来例と同様の機能を果たす部分には、同一の符号を付して、重複する説明を適宜省略する。
【００２７】
第１実施形態に係るポケット付きラベル式伝票１０−１は、平面的には、図１（ａ）に示すように、配達先で剥離して配達確認印をもらう配達票１０Ａ−１及び配達先の情報が印字された荷札となる貼付票１０Ａ−２とを含む配伝部（ラベル部）１０Ａと、表面に挨拶文や商品明細書が印字され、裏側がポケットとなるポケット部１０Ｂと、郵便振替・銀行／コンビニ兼用の振替用紙などとなる添付書類部１０Ｃとを備えている。
印字基材１１は、配伝部１０Ａ、ポケット部１０Ｂ、添付書類部１０Ｃ及び余白部１０Ｃ−１の境界部分に、ミシン目ａ，ｂ，ｃが形成されている。
【００２８】
また、このポケット付きラベル式伝票１０−１は、層構造的には、図１（ｂ）に示すように、７０Ｋｇ上質紙などからなる印字可能な印字基材（第１部材）１１と、タック基材１３，粘着剤層１４及び剥離紙１５からなるタック紙（第２部材）１２と、印字基材１１とタック紙１２を部分的に接着する接着剤１６Ａ及び剥離インキ１６Ｂからなる擬似接着による接着構造１６と、印字基材１１のタック紙１２が設けられていない部分に接着剤１８によって接着した、５５Ｋｇ上質紙などからなるポケット用基材（第３部材）１７等とを備えるものである。
【００２９】
次に、図２、図３を参照しながら、ポケット付きラベル式伝票１０−１の使用方法について説明する。
このポケット付きラベル式伝票１０−１は、印字基材１１の配伝部１０Ａ、ポケット部１０Ｂ及び添付書類部１０Ｃの部分に、プリンタによって、必要事項を片面印字する（＃１０１）。ついで、裏面封入口よりポケット部１０Ｂにチラシ２０を入れる（＃１０２）。
【００３０】
次に、配伝部１０Ａの裏面の剥離紙１５を剥がして、郵便振替片である添付書類部１０Ｃをミシン目ｂで裏側に折り曲げる（＃１０３）。そして、添付書類部１０Ｃの終端（余白部分１０Ｃ−１）を、配伝部１０Ａのタック紙１２部分に重ね合せ、図３に示すように、この状態で、ポケット付きラベル式伝票１０−１を荷物３０に貼付する（＃１０４）。
【００３１】
顧客側（配達先）において、荷物３０が届いたら、配伝部１０Ａに連接されたミシン目ａ，ｃで、封筒状のポケット部１０Ｂと郵便振替片である添付書類部１０Ｃを、一括して切り離す（＃１０５）。
【００３２】
第１実施形態によれば、以下のような利点がある。
（１）郵便振替片である添付書類部１０Ｃを内側に折り曲げ、この終端側を配伝部１０Ａのタック紙１２の粘着剤層１４で封緘するため、郵便振替片の汚損を防ぐことが可能であり、また、チラシ２０をポケット部１０Ｂに封入するので、輸送中にチラシ２０等が飛び出ることがない。
（２）構成が平易でわかりやすく、作業性が良い。
（３）タック紙１２の使用量を最低限にしたことにより、低コスト化が可能となった。
【００３３】
（第２実施形態）
図４は、本発明によるポケット付きラベル式伝票の第２実施形態を示す図である。
第２実施形態のポケット付きラベル式伝票１０−２は、配伝部１０Ａと、ポケット部１０Ｂとからなり、ポケット部１０Ｂの表面は、ピッキングリストになっている。
また、ポケット部１０Ｂの入り口ｄは、配伝部１０Ａ側になっているので、ポケット部１０Ｂへの挿入物が飛び出すことはない。
さらに、ポケット部１０Ｂは、印字基材１１にポケット用基材１７が接着剤１８によって接着されいるので、この伝票１０−２全体の厚みが略等しくなり、プリンタ適性が向上する。なお、ポケット用基材１７は、配伝部１０Ａ以外の部分のすべてを覆う（ただし、タック紙１２とは重ならない）ようにすれば、印字適性がより向上する。
【００３４】
（第３実施形態）
図５は、本発明によるポケット付きラベル式伝票の第３実施形態を示す図である。
第３実施形態のポケット付きラベル式伝票１０−３は、配伝部１０Ａと、ポケット部１０Ｂとからなり、ポケット部１０Ｂは、返信封筒になっている。ポケット部１０Ｂには、印字基材１１の裏面であって、ミシン目ａの下側に、返信封筒の封止手段となる再湿糊層１９が形成されている。したがって、荷物到着後に、ミシン目ａで返信封筒を分離して、再湿糊層１９を湿らせて、その返信封筒を封止することができる。なお、再湿糊層１９の変わりに、両面テープなどの他の封止手段を設けてもよい。
【００３５】
（第４実施形態）
図６は、本発明によるポケット付きラベル式伝票の第４実施形態を示す図である。
第４実施形態のポケット付きラベル式伝票１０−４は、配伝部１０Ａと、ポケット部１０Ｂとからなり、ポケット部１０Ｂは、封入口ｅが下端部に設けられており、ミシン目ｆから折り返すことにより、タック紙１２の粘着層１４で封緘するようにしたものである。配伝部１０Ａ又はポケット部１０Ｂを破かないと、ポケット部１０Ｂ内の封入物を見ることはできないので、秘匿性が増すと共に、配達途中での飛び出しがない。
【００３６】
（第５実施形態）
図７は、本発明によるポケット付きラベル式伝票の第５実施形態を示す図である。
第５実施形態のポケット付きラベル式伝票１０−５は、配伝部１０Ａと、ポケット部１０Ｂとからなり、ポケット部１０Ｂは、封入口ｅが下端部に設けられているのは、第４実施形態と同じであるが、印刷基材１１に、ポケット基材１７よりも長い余白部分１１ａを設け、余白部分１１ａとの境界線に、ミシン目ｇを設けたものである。このようにすれば、余白部分１１ａをタック紙１２の粘着層１４で接着することとなるので、封入口ｅ自体をより確実に封緘することができる。また、ミシン目ａ，ｇで容易に開封することができる。
【００３７】
（第６実施形態）
図８は、本発明によるポケット付きラベル式伝票の第６実施形態を示す図である。
第６実施形態のポケット付きラベル式伝票１０−６は、配伝部１０Ａと、ポケット部１０Ｂとからなり、ポケット部１０Ｂは、封入口ｈがタック紙１２側に設けられている。そして、タック紙１２は、剥離紙１５の下端付近にハーフカットｉが形成され、同じ位置のタック基材１３及び粘着剤層１４にミシン目ｊ、印字基材１１にミシン目ｋを入れてある。そして、剥離紙５をハーフカットｉの上側のｍの部分から剥離して、伝票１０−６を荷物に貼り付ける。
ポケット部１０Ｂは、ミシン目ｊ，ｋの部分から切り離すと、ｎの部分が分離されずに残るので、タック紙１２の粘着剤層１４を、封緘用に使用することができる（封止手段）。したがって、ポケット部１０Ｂをアンケート返信用などに使用する場合に適している。
【００３８】
（第７実施形態）
図９は、本発明によるポケット付きラベル式伝票の第７実施形態を示す図である。
第７実施形態のポケット付きラベル式伝票１０−７は、配伝部１０Ａと、ポケット部１０Ｂと、添付書類部１０Ｃからなり、第１実施形態と異なるのは、添付書類部１０Ｃは、ポケット部１０Ｂよりも、サイズが小さく、入り口ｐから折り曲げて挿入できるようにしたものである。なお、ポケット基材１７側に、添付書類部１０Ｃとなる部分ｑを設けてもよい。
【００３９】
（第８実施形態）
図１０は、本発明によるポケット付きラベル式伝票の第８実施形態を示す図である。
第８実施形態のポケット付きラベル式伝票１０−８は、配伝部１０Ａと、添付書類部１０Ｃと、ポケット部１０Ｂとからなり、第１実施形態と異なるのは、添付書類部１０Ｃとポケット部１０Ｂの位置が逆になっているところである。
【００４０】
（第９実施形態）
図１１は、本発明によるポケット付きラベル式伝票の第９実施形態を示す図である。
第９実施形態のポケット付きラベル式伝票１０−９は、配伝部１０Ａと、ポケット部１０Ｂとからなるが、ポケット部１０Ｂは、製袋されておらず、剥離紙１５を剥がして、ミシン目ｒから折り返し、折り返した部分の端部が粘着剤層１４で綴じられて、筒状になるようにしたものである。このポケット部１０Ｂは、チラシなどを挿入することができる。
【００４１】
（変形形態）
以上説明した実施形態に限定されることなく、種々の変形や変更が可能であって、それらも本発明の均等の範囲内である。
宅配荷物の配送伝票の例で説明したが、工場内などで使用する伝票であってもよい。また、配伝部は、配送システムに応じて、他の控え票などを剥離可能に設けてもよい。
【００４２】
【発明の効果】
以上詳しく説明したように、本発明によれば、ポケット部や添付書類部を有するので、荷物，商品などの箱の中に挿入することなく、必要事項を記載した書類を箱の外側に添付することができる。
また、ポケット部を有するので、チラシ類を箱の外側に添付することができ、箱の中に入れた商品に関する大切な書類と区別したり、チラシであることを目立たせることができる。
さらに、「粘着加工した封筒」のような特別な加工をしないので、コストアップとなることはない。
【図面の簡単な説明】
【図１】本発明によるポケット付きラベル式伝票の第１実施形態を示す図である。
【図２】第１実施形態に係るポケット付きラベル式伝票の使用方法を示す図である。
【図３】第１実施形態に係るポケット付きラベル式伝票を荷物に貼付した状態を示す図である。
【図４】本発明によるポケット付きラベル式伝票の第２実施形態を示す図である。
【図５】本発明によるポケット付きラベル式伝票の第３実施形態を示す図である。
【図６】本発明によるポケット付きラベル式伝票の第４実施形態を示す図である。
【図７】本発明によるポケット付きラベル式伝票の第５実施形態を示す図である。
【図８】本発明によるポケット付きラベル式伝票の第６実施形態を示す図である。
【図９】本発明によるポケット付きラベル式伝票の第７実施形態を示す図である。
【図１０】本発明によるポケット付きラベル式伝票の第８実施形態を示す図である。
【図１１】本発明によるポケット付きラベル式伝票の第９実施形態を示す図である。
【図１２】ピッキングリスト付き１ｐｔ配伝の一例を示す図である。
【符号の説明】
１０−１〜１０−９　ポケット付きラベル式伝票
１０Ａ　配伝部
１０Ｂ　ポケット部
１０Ｃ　添付書類部
１１　印字基材（第１部材）
１２　タック紙（第２部材）
１３　タック基材
１４　粘着剤層
１５　剥離紙
１６　接着構造
１７　ポケット用基材（第３部材）
１８　接着剤
【図１】
2004054074.tif 000003
【図２】
2004054074.tif 000004
【図３】
2004054074.tif 000005
【図４】
2004054074.tif 000006
【図５】
2004054074.tif 000007
【図６】
2004054074.tif 000008
【図７】
2004054074.tif 000009
【図８】
2004054074.tif 000010
【図９】
2004054074.tif 000011
【図１０】
2004054074.tif 000012
【図１１】
2004054074.tif 000013
【図１２】
2004054074.tif 000014